(57)【要約】【課題】雰囲気や演出をより気軽に高められるように、周囲に目立たないように用意できるとか、意外性に優れるといった特徴を持つコンパクトな飛ばし遊戯具を提供する。【解決手段】装着手段２によって手指ＨＹに装着自在なケース１と、ケース１に保持可能であってケース１を振ることによってケース１から空中へ飛び出す巻きテープ３とを備えて手指用飛ばし遊戯具を構成する。ケース１は、飛び飾り３を収容自在な筒状部１Ａと、筒状部１Ａから延出されて手指ＨＹに添わせ自在な板状部１Ｂとから成る厚紙製であり、板状部１Ｂに固定された一対のモール８で装着手段２を構成する。【選択図】図９  
2005253516.tif 000002
【特許請求の範囲】
【請求項１】
手指に装着自在なケースと、このケースを手指に一体的に装着するための装着手段と、前記ケースに保持可能であって前記ケースを振ることによってケースから空中へ飛び出す飛び飾りと、から構成されている手指用飛ばし遊戯具。
【請求項２】
前記ケースは、前記飛び飾りを収容自在な筒状部と、前記筒状部から延出されて手指に添わせることが自在な板状部とから構成されるとともに、前記装着手段が前記板状部に設けられている請求項１に記載の手指用飛ばし遊戯具。
【請求項３】
前記筒状部の基端部に、前記飛び飾りを受止めて支持するための底壁部を設けるとともに、この底壁部を筒状部の基端よりも先端側に寄せて配置してある請求項２に記載の手指用飛ばし遊戯具。
【請求項４】
前記筒状部に、その先端開口からの前記飛び飾りの抜け出しを阻止する蓋部材が着脱自在に装備されている請求項２又は３に記載の手指用飛ばし遊戯具。
【請求項５】
前記装着手段は、手指に巻付けて括り付けるための紐状体である請求項１〜４のいずれか一項に記載の手指用飛ばし遊戯具。
【請求項６】
前記紐状体が、両端開放状態で前記ケースに固設されたモールである請求項５に記載の手指用飛ばし遊戯具。
【請求項７】
前記飛び飾りが巻きテープであり、その終端が前記ケースに連結されている請求項１〜６のいずれか一項に記載の手指用飛ばし遊戯具。
【請求項８】
前記ケースが紙製である請求項１〜７のいずれか一項に記載の手指用飛ばし遊戯具。
【発明の詳細な説明】
【技術分野】
【０００１】
本発明は、手指に装着して用いる遊戯具、特にテープ、リボン等の飛び飾りが空中に飛び出すようになっている手指用飛ばし遊戯具に関するものである。
【背景技術】
【０００２】
従来、パーティー、祝賀会、コンパ等のような人の集まる場所でその場の雰囲気を盛り上げたり演出したいときなどに用いられる飛ばし遊戯具としては、（１）クラッカー、（２）投げテープ、或いは（３）応援用グッズ（遊戯具）等がある。クラッカーとしては、例えば特許文献１にて開示されたものが知られており、投げテープは特許文献２で、そして、応援用グッズは特許文献３において夫々知られたものである。
【特許文献１】特開２００３−２４０４９９号公報
【特許文献２】特開平９−２１０４６号公報
【特許文献３】特開２００２−３６０９５２号公報
【発明の開示】
【発明が解決しようとする課題】
【０００３】
例えば、パーティーやカラオケ等において、飛ばし遊戯具をもっと手軽に楽しめたり、持ち運びしたりすることが望まれている。特に、持っていることが殆ど気付かれないようにしながら祝賀人の面前でいきなりテープ等の飾り物を飛ばす、といった意外性があり、しかもコンパクトな飛ばし遊戯具があれば、雰囲気や演出をより気軽に高めることができると思われる。
【０００４】
従来の遊戯具として、前記（１）クラッカーは、派手な演出効果が期待できるものであるが、爆発並びにそれによる騒音を伴うとともに、持ち運び時等における不測の暴発のおそれが皆無にはならないので、使用場所や保管・運搬等が制限されるものである。前記（２）投げテープは、爆発を伴うことなく静かに使用できる点は良いが、あまり広くない室内等での使用には不向きであるとともに、ある程度の大きさがあって手に持っていることが周囲に一目で分かってしまい、意外性に乏しい点で目新しさも期待できない。また、前記（３）応援用グッズは、大きさが大き過ぎる点で論じるまでもなく不向きである。
【０００５】
このように、従来の飛ばし遊戯具では、斬新さに乏しいとか、持ち運びに注意を要する、或いは、持っていることを容易に悟られてしまう、といった不利があり、よりコンパクトで気軽に盛上げ効果が得られる飛ばし遊戯具を実現するには、構造の見直しや新しいアイデアを盛り込む等、改善の余地が残されているものであった。
【０００６】
以上述べた通り、本発明の目的は、雰囲気や演出をより気軽に高められるように、周囲に目立たないように用意できるとか、意外性に優れるといった特徴を持つコンパクトな飛ばし遊戯具を提供する点にある。
【課題を解決するための手段】
【０００７】
本発明の要旨は、手指装着型の飛ばし遊戯具を提案することであり、その提案される手指用飛ばし遊戯う具は、指先等に装着してその指を弾いたり振り払う動作を行うことにより、ケースに保持されている飛び飾りを空中に飛び出させる、というものである。まず、請求項１の構成は、手指用飛ばし遊戯具において、手指に装着自在なケースと、このケースを手指に一体的に装着するための装着手段と、前記ケースに保持可能であって前記ケースを振ることによってケースから空中へ飛び出す飛び飾りと、から構成されていることを特徴とする。
【０００８】
請求項２の構成は、請求項１に記載の手指用飛ばし遊戯具において、前記ケースは、前記飛び飾りを収容自在な筒状部と、前記筒状部から延出されて手指に添わせることが自在な板状部とから構成されるとともに、前記装着手段が前記板状部に設けられていることを特徴とする。
【０００９】
請求項３の構成は、請求項２に記載の手指用飛ばし遊戯具において、前記筒状部の基端部に、前記飛び飾りを受止めて支持するための底壁部を設けるとともに、この底壁部を筒状部の基端よりも先端側に寄せて配置してあることを特徴とする。
【００１０】
請求項４の構成は、請求項２又は３に記載の手指用飛ばし遊戯具において、前記筒状部に、その先端開口からの前記飛び飾りの抜け出しを阻止する蓋部材が着脱自在に装備されていることを特徴とする。
【００１１】
請求項５の構成は、請求項１〜４のいずれか一項に記載の手指用飛ばし遊戯具において、前記装着手段は、手指に巻付けて括り付けるための紐状体であることを特徴とする。
【００１２】
請求項６の構成は、請求項５に記載の手指用飛ばし遊戯具において、前記紐状体が、両端開放状態で前記ケースに固設されたモールであることを特徴とする。
【００１３】
請求項７の構成は、請求項１〜６のいずれか一項に記載の手指用飛ばし遊戯具において、前記飛び飾りが巻きテープであり、その終端が前記ケースに連結されていることを特徴とする。
【００１４】
請求項８の構成は、請求項１〜７のいずれか一項に記載の手指用飛ばし遊戯具において、前記ケースが紙製であることを特徴とする。
【発明の効果】
【００１５】
請求項１の構成によれば、装着手段によって飛ばし遊戯具が装着された手指を弾く、振り払う等のケースを振るための動作を行うことにより、ケースに保持されている飛び飾りをケースから空中へ飛び出させることができる。手指装着型という小型で軽量な遊戯具であるから、鞄やバックに入れての持ち運びが容易であり、クラッカーのような暴発のおそれも無いとともに、使用するまで祝賀対象者に対して容易に隠しておくことができる等、所持していることが目立ち難いので、これを飛ばし作用させたときの意外性や演出効果を期待することができる。その結果、周囲に目立たないように用意しながら、雰囲気や演出をより気軽に高められるようにできるとか、意外性に優れるといった特徴を持つ斬新でコンパクトな飛ばし遊戯具を、気軽に持ち運びし易いものとして提供することができる。
【００１６】
請求項２の構成によれば、飛び飾りを収容して保持する筒状部と、これから延設されて手指に添わせた状態で装着される板状部とからケースを構成してあるので、筒状部を指先のさらに先側に、即ち手指の延長線上に配置することが可能である。また、板状部を用いて手指に装着させるので、手指の太さや長さの異なりに拘わらずにケースの装着が可能である。例えば、筒状部を延長して指に嵌める構成では、細い指ではしっかりと装着できず、太い指では入らないといった不都合があるが、請求項２のものではそのような不都合は生じない。従って、手指の大きさや太さに関係無く良好に装着できるとともに、筒状部が手指の横側方に張り出させずに済み、しかも他の手指等の邪魔にならずコンパクトに装着させることが可能になる手指用飛ばし遊戯具を提供できる。
【００１７】
請求項３の構成によれば、飛び飾りを受止めて仕切る底壁部を、筒状部の基端ではなく、少し内奥側に配備させてあるから、ケースを手指に装着する際には、指先を若干筒状部の基端側に入り込ませて位置決めを行うことができる。これにより、装着手段による装着操作の際の位置決め作用が得られて、装着操作が行い易くなるとともに、よりしっかりとケースを手指に装着できる効果を得ることができる。
【００１８】
請求項４の構成によれば、持ち運び時等の不使用時には蓋部材を装備して飛び飾りを確実に筒状部に収容保持できるとともに、使用時には蓋部材を筒状部から外し、それから手指の振り動作を行えば良い。つまり、不使用時における飛び飾りの筒状部からの不測の抜け出しを確実に阻止することができ、使用時前に飛び飾りが筒状部から出てしまう不都合が無く、手指用飛ばし遊戯具を良好に本番使用することができる。
【００１９】
請求項５の構成によれば、装着手段を紐状体としてコスト安なものとしながら、手指の太さや大きさに関係無くケースをしっかりと、かつ、確実に手指に装着できる利点がある。特に、請求項６のように紐状体をモールとすれば、手指に括り付ける際の指への食い込みによるダメージを少なくできて、手指への装着感を改善できるとともに、見た目にもカラフルなものとして雰囲気の演出効果も期待できるようになる。
【００２０】
請求項７の構成によれば、飛び開始時には重く、飛んで行くに従って巻き解されて軽くなって行く巻きテープの採用により、飛び飾りの飛距離を伸ばすことができて、盛上げ効果や演出効果の向上が可能になる。加えて、テープ終端がケースに連結されているので、飛ばした後の飛び飾りの回収作業が容易であり、パーティー会場等に飛散された飛び飾りが放置されて周囲を汚す等の不都合が生じ難い、或いは生じない利点がある。
【００２１】
請求項８の構成によれば、ケースが紙製であるので、製作コストが安く、商品を廉価に供給できるとともに、使用後は「燃えるゴミ用」のゴミ箱に捨てるだけで良い、といった具合に、使った後のゴミとしての処理も簡単に行える利点がある。
【発明を実施するための最良の形態】
【００２２】
以下、本発明による手指用飛ばし遊戯具を図面に基づいて説明する。図１〜図４は手指用飛ばし遊戯具の平面図、側面図、正面図、背面図、図５はケースの筒状部の縦断面図、図６は飛ばしテープの飛ばられる前の状態を示す単品斜視図、図７、図８は飛ばし遊戯具の手指への装着手順を示す作用図、図９は手指による飛ばし遊戯具の飛ばし方の例を示す作用図、図１０はテープの飛翔状態を示す作用図である。
【実施例１】
【００２３】
手指用飛ばし遊戯具Ａは、図１〜図６に示すように、手指に装着自在なケース１と、このケース１を手指に一体的に装着するための装着手段２と、ケース１に保持可能であってケース１を振ることによってケース１の先端開口１ａから空中へ飛び出す装飾テープ（飛び飾りの一例）３と、から構成されている。
【００２４】
ケース１は、巻取り状態にある装飾テープ３を収容自在な筒状部１Ａと、筒状部１Ａから延出されて手指に添わせることが自在な板状部１Ｂと、飛び飾りを受止めて支持するために筒状部１Ａの基端部に設けられた側面視が略コ字状の底壁部４から構成されている。筒状部１Ａの先端部には、筒状部１Ａの先端開口１ａからの装飾テープ３の抜け出しを阻止する蓋部材５が着脱自在に装備されている。板状部１Ｂは、背面視が略Ｖ字状を為す屈曲板部に構成されており、強度・剛性を上げてある。
【００２５】
ケース１は、所定の展開形状にカットされた厚紙を２回折り返し、かつ、２回丸めることによって筒状部１Ａと板状部１Ｂとが一体形成されており、筒状部１Ａに位置する重ね合わせ端部６を接着して止めてある。この構成により、筒状部１Ａは二重筒構造に、かつ、板状部１Ｂは三重の重ね板構造に夫々構成されており、板状部１Ｂは筒状部１Ａの内側においてその先端まで延びている。また、板状部１Ｂの基端側に形成された孔１ｂには、手指を嵌めて係止するために、ゴム紐７をループ状に結んで通してある。尚、このゴム紐７、及び孔１ｂは無くても良い。
【００２６】
装飾テープ（巻きテープの一例）３を筒状部１Ａ内に収容させてあるので、装飾テープ３を確実にケース１に保持させることができるとともに、単一の板状部１Ｂを手指に括り付ける構造としてあるので、手指の太さや形状如何に拘わらず、良好にケース１を手指に装着できる利点がある。
【００２７】
底壁部４は、ケース１と同じ厚紙製で帯状にカットされたものをコ字状に折り曲げ形成して成るものであり、その両端の折れ曲り部４ａ，４ｂは夫々、筒状部１Ａの内壁面と板状部１Ｂとに接着等の手段を用いて取付固定されている。尚、下側折れ曲り部４ｂは、装飾テープ３の内巻側終端を介して板状部１Ｂに共に固定されている。底壁部４は、筒状部１Ａの基端（板状部１Ｂ側端）よりも先端側に寄せて配置されており、それによって筒状部１Ａの基端側に指先を少し差し込める挿入穴部１０を形成してある。
【００２８】
蓋部材５は、ケース１と同じ厚紙製であり、蓋部分５ａと摘み部５ｂと当接面部５ｃとをい備えており、側面視で略Ｊ字形状を呈する状態に折り曲げ形成されている。蓋部材５は、蓋部分５ａと当接面部５ｃとが筒状部１Ａの内周面に圧接する状態に形成されており、その強い接触による摩擦力で筒状部１Ａに内嵌されることにより、装飾テープ３の抜け出しを阻止している。摘み部５ｂは、手指用飛ばし遊戯具Ａが装着された手指を、装飾テープ３を弾き飛ばすべく振り動作する直前に、摘んで蓋部材５を筒状部１Ａから外すためのものである。
【００２９】
装着手段２は、板状部１Ｂの前後２箇所に装備された一対のモール（紐状体の一例）８で構成されている。各モール８は、その中央部分が板状部１Ｂの外周面に沿わされた両端開放状態において、板状部１Ｂの外周面に貼り付けられる粘着テープ９を用いて板状部１Ｂに取付けられている。モール８は、板状部１Ｂに沿わされる手指に巻付けて、その手指をケース１に括り付けるためのもの（図７，８を参照）である。モール８の採用により、指に巻付けたときの感触が良く、指を痛め難いとともに、軽量で引張り強度もあり、ケース１を手指にしっかりと括り付けることができる。また、見た目にカラフルな色合いにすることが自在である。
【００３０】
装飾テープ３は、図４〜図６、図１０に示すように、金色等の目立つ色が施されて多重巻きされた巻きテープであり、その巻内周側端３ａを引張り出して、下側折れ曲り部４ｂと板状部１Ｂとの間に挟持して接着することにより、ケース１に連結してある。ケース１の筒状部１Ａには、巻状態の装飾テープ３が互いの軸心が互いに沿う姿勢で収容されており、圧入された蓋部材５によって先端開口１ａからの抜け出しが阻止されており、筒状部１Ａに内装された状態でケース１に保持されている。
【００３１】
次に、この手指用飛ばし遊戯具Ａの使い方について説明する。まず、図７に示すように、板状部１Ｂ上において、装着させる手指ＨＹ（例：右手の人差し指）を沿わせ、人差し指ＨＹの指先が挿入穴部１０に入り込むまでケース１を人差し指ＨＹ側に移動させる。次に、図８に示すように、一対のモール８を左手で複数回捩るか、又は結ぶかしてケース１を人差し指ＨＹに括り付ける。
【００３２】
それから、右手ＲＨを上向きにした状態で蓋部材５を筒状部１Ａから取り外し、図９に示すように、人差し指ＨＹを折り曲げて筒状部１ａの先端開口１ａの縁を親指ＯＹの先端に係止させ、その状態でケース１を弾くように人差し指ＨＹを強く振り戻す動作を行うことにより、先端開口１ａから装飾テープ３が、その内周側から巻き解されながら勢い良く空中に飛び出すのである。
【００３３】
指先が係止された状態での指の振り戻しによる弾き作用にはかなりのパワーがあるので、図１０に示すように、コンパクトに巻回されている装飾テープ３を遠くまで飛ばすことが可能である。飛ばされた装飾テープ３は、その巻内周側端３ａがケース１に連結されているので、ケース１を引張って装飾テープ３を容易に回収することが可能であるとともに、回収をし忘れて、パーティー会場やカラオケボックス等にゴミとして残してしまうことがほぼ解消される利点もある。
〔別実施例〕
【００３４】
ケース１としては、図１，２等に示す板状部１Ｂを対向して一対形成し、それら板状部間に手指を挿入して、指からか外れないように紐状体で縛り付ける構造も可能である。ケース１の材料は、紙の他、プラスチックや板金材も可能である。また、紙製ケース１の場合に、紙の厚みによっては、筒状部１Ａや板状部１Ｂを一重構造とすることや、三重以上の多重構造とすることが可能である。
【００３５】
例えば、蓋部材５をある程度重くするとか、筒状部１Ａ内への圧入程度を調節する等により、手指の振り戻し操作によって自動的に蓋部材５が筒状部１Ａから外れて装飾テープ３が飛び出す、という設定も可能である。これによれば、慌てて蓋を外すのを忘れてしまう不都合が回避される等、飛ばし操作直前における蓋部材５の外し操作が不要となる利点がある。飛び飾り３は、より小さい巻テープの複数個を筒状部１Ａ内に収容する構造や、紙ふぶき、くす玉のようなもの等、種々のものが可能である。
【００３６】
装着手段２は、モール８の他、一般的な紐、針金、ゴム紐等の紐状体でも良く、また、面ファスナー付きのベルトや、粘着テープ等も可能である。また、手指用飛ばし遊戯具Ａを複数本の手指、或いは、両手の手指に装備して、一度に複数個の飛び飾り３を飛ばす、という使い方も可能である。
【００３７】
以上説明したように、本発明による手指用飛ばし遊戯具によれば、各種イベント会場等での雰囲気を盛り上げることに有益であり、携行にも便利で斬新な手指装着型のコンパクトな遊戯具を提供することが可能になる。特に、本発明によれば、手指の太さや大きさに関係無く男女を問わずに装着自在であるとともに、カラオケボックス等の狭い会場での使用にも好適である。そして、空中に飛び出した飛び飾りの回収を容易に行うことができるので、コンパ会場等の周囲を汚さずに済むとともに、回収した飛び飾りの再使用も可能である。また、周囲に迷惑のかかるような大きな音を立てずにその場の雰囲気を盛り上げることができ、小型・軽量で携行に便利であり、パーティー会場等における照明の光などを飛び飾りに反射させてきらびやかな雰囲気を醸し出すようにも構成できるので、スポーツの観戦や応援のためのグッズとしての使い方も可能になるという利点もある。
【図面の簡単な説明】
【００３８】
【図１】手指用飛ばし遊戯具の平面図
【図２】手指用飛ばし遊戯具の側面図
【図３】手指用飛ばし遊戯具の正面図
【図４】手指用飛ばし遊戯具の背面図
【図５】筒状部の縦断面図
【図６】筒状部への収容状態における装飾テープを示す斜視図
【図７】遊戯具の手指への装着手順その１を示す作用図
【図８】遊戯具の手指への装着手順その２を示す作用図
【図９】手指を使った遊戯具の飛ばし方を示す作用図
【図１０】装飾テープの飛翔状況例を示す作用図
【符号の説明】
【００３９】
１          ケース
１ａ        先端開口
１Ａ        筒状部
１Ｂ        板状部
２          装着手段（紐状体）
３          飛び飾り（巻きテープ）
３ａ        テープ終端
４          底壁部
５          蓋部材
８          モール
Ａ          手指用飛ばし遊戯具
【図１】
2005253516.tif 000003
【図２】
2005253516.tif 000004
【図３】
2005253516.tif 000005
【図４】
2005253516.tif 000006
【図５】
2005253516.tif 000007
【図６】
2005253516.tif 000008
【図７】
2005253516.tif 000009
【図８】
2005253516.tif 000010
【図９】
2005253516.tif 000011
【図１０】
2005253516.tif 000012